(57)【要約】【課題】装置の稼動を停止させることなく、ロール紙の交換を行う。【解決手段】ロール紙を用いて発券処理を行う自動券売機１は、複数のロール紙を内部に収納し、複数のロール紙の間で、発券処理に使用するロール紙を切り替えながら発券処理を行う発券部７を有し、発券部７は、複数のロール紙を収納するそれぞれの収納部３１ａ，３１ｂを備え、収納部は、発券部の筐体（筐体フレーム１６）から個々に独立して引き出し可能に構成されている。【選択図】図３
2014016915.tif 000002
【特許請求の範囲】
【請求項１】
ロール紙を用いて発券処理を行う自動券売機において、
複数のロール紙を内部に収納し、当該複数のロール紙の間で、発券処理に使用するロール紙を切り替えながら発券処理を行う発券部を有し、
前記発券部は、前記複数のロール紙を収納するそれぞれの収納部を備え、
前記収納部は、当該発券部の筐体から個々に独立して引き出し可能に構成されている
ことを特徴とする自動券売機。
【請求項２】
請求項１に記載の自動券売機において、
前記筐体は、それぞれの前記収納部の引き出し方向に沿って延在して設けられたレールを備えており、
それぞれの前記収納部は、前記レールに対し、移動可能に係合するレール係合部を備えている
ことを特徴とする自動券売機。
【請求項３】
請求項１又は請求項２に記載の自動券売機において、
前記発券部は、
それぞれの前記収納部に収納された前記ロール紙を搬送するロール紙搬送部と、
印字情報を前記ロール紙に印字するロール紙印字部と、
前記ロール紙印字部の上流側の位置に配置され、前記ロール紙搬送部によって搬送される前記ロール紙の経路を合流させる合流搬送部とを備えている
ことを特徴とする自動券売機。
【請求項４】
請求項１乃至請求項３のいずれか一項に記載の自動券売機において、
前記発券部は、
さらに、前記用紙切れロール紙を巻き戻す巻き戻し手段と、
それぞれの前記収納部のいずれか一つ乃至全部を引き出し不能にロックする電磁ロック機構とを備えており、
前記用紙切れロール紙の交換時に、前記巻き戻し手段による前記用紙切れロール紙の巻き戻しを実行し、当該巻き戻しが完了したときにのみ、前記用紙切れロール紙を収納する収納部に掛けられた、前記電磁ロック機構によるロックを開錠する
ことを特徴とする自動券売機。
【請求項５】
請求項１乃至請求項４のいずれか一項に記載の自動券売機において、
前記発券部は、
発券処理中に、前記複数のロール紙のいずれかのロール紙の残量が一定値以下になった場合に、当該ロール紙を用紙切れロール紙とし、別のロール紙を残存ロール紙とし、使用するロール紙を当該用紙切れロール紙から当該残存ロール紙に切り替えて、発券処理を当該残存ロール紙によって継続して行うとともに、当該用紙切れロール紙との係合を解いて、当該用紙切れロール紙を収納する収納部の引き出しが可能な状態にする
ことを特徴とする自動券売機。
【請求項６】
複数のロール紙を内部に収納し、当該複数のロール紙の間で、発券処理に使用するロール紙を切り替えながら、当該使用するロール紙を後続の機構に繰り出すロール紙セット機構において、
前記複数のロール紙を収納するそれぞれの収納部を備え、
前記収納部は、当該ロール紙セット機構の筐体から個々に独立して引き出し可能に構成されている
ことを特徴とするロール紙セット機構。
【請求項７】
請求項６に記載のロール紙セット機構において、
前記筐体は、それぞれの前記収納部の引き出し方向に沿って延在して設けられたレールを備えており、
それぞれの前記収納部は、前記レールに対し、移動可能に係合するレール係合部を備えている
ことを特徴とするロール紙セット機構。
【請求項８】
請求項６又は請求項７に記載のロール紙セット機構において、
それぞれの前記収納部に収納された前記ロール紙を搬送するロール紙搬送部と、
印字情報を前記ロール紙に印字するロール紙印字部と、
前記ロール紙印字部の上流側の位置に配置され、前記ロール紙搬送部によって搬送される前記ロール紙の経路を合流させる合流搬送部とを備えている
ことを特徴とするロール紙セット機構。
【請求項９】
請求項６乃至請求項８のいずれか一項に記載のロール紙セット機構において、
さらに、前記用紙切れロール紙を巻き戻す巻き戻し手段と、
それぞれの前記収納部のいずれか一つ乃至全部を引き出し不能にロックする電磁ロック機構とを備えており、
前記用紙切れロール紙の交換時に、前記巻き戻し手段による前記用紙切れロール紙の巻き戻しを実行し、当該巻き戻しが完了したときにのみ、前記用紙切れロール紙を収納する収納部に掛けられた、前記電磁ロック機構によるロックを開錠する
ことを特徴とするロール紙セット機構。
【請求項１０】
請求項６乃至請求項９のいずれか一項に記載のロール紙セット機構において、
繰り出し処理中に、前記複数のロール紙のいずれかのロール紙の残量が一定値以下になった場合に、当該ロール紙を用紙切れロール紙とし、別のロール紙を残存ロール紙とし、使用するロール紙を当該用紙切れロール紙から当該残存ロール紙に切り替えて、繰り出し処理を当該残存ロール紙によって継続して行うとともに、当該用紙切れロール紙との係合を解いて、当該用紙切れロール紙を収納する収納部の引き出しが可能な状態にする
ことを特徴とするロール紙セット機構。
【発明の詳細な説明】
【技術分野】
【０００１】
本発明は、装置の稼動を停止させることなく、ロール紙の交換が可能な自動券売機に関する。また、本発明は、当該自動券売機に用いることが可能なロール紙セット機構に関する。
【背景技術】
【０００２】
一般に、ロール紙（連続紙）を用いて、列車の乗車券や、入場券、定期券、座席指定券、各種の予約券等の券類を発行（発券）する自動券売機が、広く普及している。その自動券売機は、券類を発行（発券）する券類発行装置（以下、「発券部」と称する）を有している。
【０００３】
発券部は、その筐体の内部に、ロール紙を収納（セット）する収納部と、所定の印字情報をロール紙の表面に印字する印字部と、所定の磁気情報をロール紙の裏面に設けられた磁気ストライプに書き込む磁気部とを備えている。
【０００４】
発券部は、収納部に収納（セット）されたロール紙の先端部分を印字部に搬送し、印字部で、所定の印字情報をロール紙の先端部分の表面に印字して、その先端部分を所定の長さにカット（切断）し（又は、ロール紙の先端部分を所定の長さにカットして、所定の印字情報をその表面に印字し）、カットされたロール紙の先端部分を磁気部に搬送する。
【０００５】
そして、発券部は、磁気部で、所定の磁気情報を、カットされた先端部分側のロール紙（以下、「カットされたロール紙」と称する）の裏面に設けられた磁気ストライプに書き込み、券類排出口に搬送して、券類として券類排出口から外部に排出する。これにより、自動券売機は、券類を発行（発券）する。
【０００６】
従来、その自動券売機の中でも、２巻のロール紙を用いて発券処理を行う装置（以下、「従来の自動券売機」と称する）があった（例えば、特許文献１及び特許文献２参照）。
【０００７】
従来の自動券売機は、発券部に、２つの収納部を備えている。従来の自動券売機は、２つの収納部に収納（セット）された２巻のロール紙の双方の先端部分を各収納部から引き出して印字部に搬送し（導き）、印字部で、所定の印字情報をいずれか一方のロール紙の先端部分の表面に印字して、所定の長さにカットし（又は、いずれか一方のロール紙の先端部分を所定の長さにカットして、所定の印字情報をその表面に印字し）、カットされたロール紙を、券類として券類排出口から外部に排出する。これにより、従来の自動券売機は、券類を発行（発券）する。
【０００８】
係る構成において、従来の自動券売機は、発券処理中に、２巻のロール紙のいずれか一方のロール紙（使用中のロール紙）の残量が一定値以下になった場合に、そのロール紙（以下、「用紙切れロール紙」と称する）の搬送を停止する。そして、従来の自動券売機は、発券処理に使用するロール紙（以下、単に「使用するロール紙」と称する）を用紙切れロール紙から他方のロール紙に自動的に切り替えて、継続して発券処理を実行する。
【先行技術文献】
【特許文献】
【０００９】
【特許文献１】特開２０１２−７９２４８号公報
【特許文献２】特開２０１１−２１６０８１号公報
【発明の概要】
【発明が解決しようとする課題】
【００１０】
しかしながら、従来の自動券売機は、ロール紙の収納部が発券部の筐体の内部に固定して設けられている。そのため、従来の自動券売機は、発券処理中に、２巻のロール紙のいずれか一方のロール紙の残量が一定値以下になった場合に、そのロール紙（用紙切れロール紙）を新品のロール紙に交換する際や、用紙切れが発生する前に、係員が残量の少ないロール紙を新品のロール紙に自主的に交換する際等の、いずれかの時点で、装置の稼動を停止して、発券部全体を装置から引き出す必要がある。
したがって、従来の自動券売機は、ロール紙を交換している間、装置の稼動を停止させる必要があり、その間、顧客を待たせてしまう、という課題があった。
【００１１】
本発明は、前記した課題を解決するためになされたものであり、装置の稼動を停止することなく、ロール紙の交換が可能な自動券売機を提供することを主な目的とする。また、本発明は、当該自動券売機に用いることが可能なロール紙セット機構を提供することも主な目的とする。
【課題を解決するための手段】
【００１２】
前記目的を達成するため、第１発明は、ロール紙を用いて発券処理を行う自動券売機であって、複数のロール紙を内部に収納し、当該複数のロール紙の間で、発券処理に使用するロール紙を切り替えながら発券処理を行う発券部を有し、前記発券部は、前記複数のロール紙を収納するそれぞれの収納部を備え、前記収納部は、当該発券部の筐体から個々に独立して引き出し可能に構成されている構成とする。
【００１３】
この自動券売機は、発券部の、複数のロール紙を収納するそれぞれの収納部が、発券部の筐体から個々に独立して引き出し可能に構成されている。そのため、この自動券売機は、用紙切れロール紙を新品のロール紙に交換する場合に、発券部の筐体から、用紙切れロール紙を収納する収納部のみを引き出すことができる。
【００１４】
これにより、この自動券売機は、発券部全体を装置（自動券売機）から引き出すことなく、用紙切れロール紙を新品のロール紙に交換することができる。そのため、この自動券売機は、装置の稼動を停止することなく、用紙切れロール紙を新品のロール紙に交換することができる。その結果、この自動券売機は、ロール紙を交換している間、顧客を待たせてしまうのを回避することができる。
【００１５】
また、第２発明は、複数のロール紙を内部に収納し、当該複数のロール紙の間で、発券処理に使用するロール紙を切り替えながら、当該使用するロール紙を後続の機構に向けて繰り出すロール紙セット機構であって、前記複数のロール紙を収納するそれぞれの収納部を備え、前記収納部は、当該ロール紙セット機構の筐体から個々に独立して引き出し可能に構成されている構成とする。
このロール紙セット機構は、第１発明に係る自動券売機に用いることができる。
【発明の効果】
【００１６】
第１発明によれば、装置の稼動を停止することなく、ロール紙の交換が可能な自動券売機を提供することができる。
また、第２発明によれば、当該自動券売機に用いるロール紙セット機構を提供することができる。
【図面の簡単な説明】
【００１７】
【図１】実施形態１に係る自動券売機の構成を示す図である。
【図２】実施形態１に係る発券部の全体の構成を示す図である。
【図３】実施形態１に係る発券部の主要部の構成を示す図である。
【図４】実施形態１に係る発券部の主要部の動作を示す図である。
【図５】実施形態２に係る発券部の主要部の構成を示す図である。
【図６】実施形態２で用いる電磁ロック機構の構成を示す図（１）である。
【図７】実施形態２で用いる電磁ロック機構の構成を示す図（２）である。
【図８】実施形態２で用いる電磁ロック機構の構成を示す図（３）である。
【発明を実施するための形態】
【００１８】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１９】
［実施形態１］
＜自動券売機の構成＞
本実施形態１は、発券処理中に、複数のロール紙のいずれかのロール紙（使用中のロール紙）の残量が一定値以下になった場合に、発券部全体を装置から引き出す必要がない自動券売機１を提供する。
【００２０】
以下、図１を参照して、本実施形態１に係る自動券売機１の構成につき説明する。なお、図１は、本実施形態１に係る自動券売機１の構成を示す図である。図１（ａ）は、正面方向から見た自動券売機１の構成を示しており、図１（ｂ）は、右側面方向から見た自動券売機１の構成を示しており、図１（ｃ）は、背面方向から見た自動券売機１の構成を示している。
【００２１】
本実施形態１では、図１（ａ）に示すように、自動券売機１は、その筐体の正面側に、顧客操作部２、及び、エスカッション部３を有している。顧客操作部２は、顧客によって操作される構成要素である。エスカッション部３は、券類の挿入排出口である。
【００２２】
ここでは、顧客操作部２がタッチパネルやディスプレイによって構成されている場合を想定して説明する。顧客は、顧客操作部２を操作して、例えば、列車の乗車券や、定期券、座席指定券、各種の予約券等の券類の発券処理を自動券売機１に行わせる。
【００２３】
顧客は、例えば、乗車券や入場券等の券類を購入する取引を行う場合に、顧客操作部２を操作して、取引の実行を自動券売機１に指示する。この場合に、自動券売機１は、その内部に収納された後記するロール紙２０（図２参照）を用いて券類を発行（発券）する。その際に、自動券売機１は、内部に収納されたロール紙２０に対して、所定の処理を行い、その後、エスカッション部３から外部に排出する。
【００２４】
また、顧客は、例えば、定期券を新規に購入する取引を行う場合に、顧客操作部２を操作して、取引の実行を自動券売機１に指示する。この場合に、自動券売機１は、その内部に収納された定期券用の発券媒体を用いて定期券を発行（発券）する。その際に、自動券売機１は、内部に収納された定期券用の発券媒体に対して、所定の処理を行い、その後、エスカッション部３から外部に排出する。
【００２５】
また、顧客は、例えば、既に購入された定期券を用いて定期券を継続して購入する取引や予め購入された回数券を用いて所望の列車の座席を指定する取引を行う場合に、顧客操作部２を操作して、取引の実行を自動券売機１に指示する。そして、顧客は、定期券や回数券等の券類をエスカッション部３から自動券売機１の内部に挿入する。この場合に、自動券売機１は、挿入された券類に対して、所定の処理を行い、その後、エスカッション部３から外部に排出する。
【００２６】
図１（ｂ）に示すように、自動券売機１は、その筐体の背面側に、背面扉４が設けられている。背面扉４は、自動券売機１の背面側に開閉可能に設けられており、係員によって開閉される。
【００２７】
また、図１（ｃ）に示すように、自動券売機１は、その筐体の内部に、係員操作部５、カード部６、券類発行装置７、紙幣部８、硬貨部９、硬貨回収金庫１０、電源部１１、及び、制御部５０を有している。なお、図１（ｃ）は、背面扉４（図１（ｂ）参照）が開かれており、その背面扉４の内部の構成を示している。
【００２８】
係員操作部５は、係員によって操作される構成要素である。ここでは、係員操作部５がタッチパネルやディスプレイによって構成されている場合を想定して説明する。図１（ｃ）に示す例では、係員操作部５は、背面扉４の内部の、自動券売機１の本体側に設けられている。しかしながら、係員操作部５は、背面扉４の表面側又は裏面側に設けることができる。
カード部６は、カードを取り扱う構成要素である。
券類発行装置（発券部）７は、券類を発行（発券）する装置である。
紙幣部８は、紙幣を取り扱う構成要素である。
硬貨部９は、硬貨を取り扱う構成要素である。
硬貨回収金庫１０は、係員によって回収される硬貨が収納される収納部である。
電源部１１は、各部に電力を供給する構成要素である。
制御部５０は、各部の動作を制御する機能手段である。
【００２９】
＜発券部の構成＞
以下、図２及び図３を参照して、発券部７の構成につき説明する。図２は、実施形態１に係る発券部７の全体の構成を示す図である。図２は、右側面方向から見た、発券部７の全体の構成を示している。また、図３は、実施形態１に係る発券部７の主要部の構成を示す図である。図３は、斜め背面方向から見た、発券部７の主要部の構成を示している。
【００３０】
図２に示す例では、発券部７は、前記したエスカッション部３、ロール紙セット機構３０、ロール紙印字部３５、磁気部３６、定期券ホッパ部３７、及び、定期券印字部３８を有する構成になっている。
【００３１】
ロール紙セット機構３０は、ロール紙２０がセットされる機構である。「ロール紙２０」は、発券媒体として用いられる、ロール状に巻かれた連続紙である。ロール紙セット機構３０は、発券処理に使用するロール紙２０を後続の機構に向けて繰り出す。
ロール紙印字部３５は、所定の印字情報をロール紙２０の先端部分に印字するとともに、その先端部分を所定の長さにカット（切断）する構成要素である。
磁気部３６は、所定の磁気情報を、カットされたロール紙２０の裏面に設けられた磁気ストライプ（図示せず）に書き込む構成要素である。
定期券ホッパ部３７は、定期券として発行する発券媒体が収納される部位である。
定期券印字部３８は、発行する定期券に関する情報を、発券媒体に印字する構成要素である。
【００３２】
発券部７は、ロール紙セット機構３０の内部に、ロール紙２０がセットされる収納部（以下、「ロール紙収納部」と称する）３１を複数備えている。それぞれのロール紙収納部３１は、通常、同じ幅のロール紙２０がセットされる。発券部７は、それぞれのロール紙収納部３１に収納された複数のロール紙２０の間で、使用するロール紙２０を切り替えながら発券処理を行う。本実施形態１では、図２及び図３に示すように、ロール紙収納部３１の個数が２つである場合を想定して説明する。
【００３３】
以下、２つのロール紙収納部３１を区別する場合に、図２において手前側（図３では左側）に配置されたロール紙収納部３１を「第１ロール紙収納部３１ａ」と称し、また、図２において奥側（図３では右側）に配置されたロール紙収納部３１を「第２ロール紙収納部３１ｂ」と称する。
【００３４】
また、ここでは、「第１ロール紙収納部３１ａ」に関連する構成要素と「第２ロール紙収納部３１ｂ」に関連する構成要素とを区別する場合に、「第１ロール紙収納部３１ａ」に関連する構成要素に対し、語頭に「第１」という語句を付すとともに、語尾に英文字符号「ａ」を付し、一方、「第２ロール紙収納部３１ｂ」に関連する構成要素に対し、語頭に「第２」という語句を付すとともに、語尾に英文字符号「ｂ」を付して説明する。
【００３５】
したがって、例えば、第１ロール紙収納部３１ａに収納されたロール紙２０と第２ロール紙収納部３１ｂに収納されたロール紙２０とを区別する場合に、以下、第１ロール紙収納部３１ａに収納されたロール紙２０を「第１ロール紙２０ａ」と称し、第２ロール紙収納部３１ｂに収納されたロール紙２０を「第２ロール紙２０ｂ」と称する。
【００３６】
発券部７は、第１ロール紙２０ａが搬送される第１搬送路３２ａと、第２ロール紙２０ｂが搬送される第２搬送路３２ｂとを備えている。以下、第１搬送路３２ａと第２搬送路３２ｂとを総称する場合に、「搬送路３２」と称する。搬送路３２は、ロール紙収納部３１から前記したエスカッション部３に亘って設けられており、その経路上に、ロール紙印字部３５、及び、磁気部３６が配置されている。
【００３７】
第１搬送路３２ａは、その周囲に、第１ロール紙２０ａを下流側に向けて搬送する搬送部（以下、「第１ロール紙搬送部３３ａ」と称する）が設けられている。同様に、第２搬送路３２ｂは、その周囲に、第２ロール紙２０ｂを下流側に向けて搬送する搬送部（以下、「第２ロール紙搬送部３３ｂ」と称する）が設けられている。以下、第１ロール紙搬送部３３ａと第２ロール紙搬送部３３ｂとを総称する場合に、「ロール紙搬送部３３」と称する。ここでは、ロール紙搬送部３３が複数対の駆動ローラと従動ローラとの組み合わせによって構成されているものとして説明する。
【００３８】
第１搬送路３２ａと第２搬送路３２ｂとは、ロール紙印字部３５の手前の位置で合流する。以下、第１搬送路３２ａと第２搬送路３２ｂとが合流する部分を「合流搬送部３４」と称する。合流搬送部３４は、第１ロール紙２０ａを合流箇所３４ｃに向けて搬送する第１経路３４ａと、第２ロール紙２０ｂを合流箇所３４ｃに向けて搬送する第２経路３４ｂとを含む構成になっている。
【００３９】
第１経路３４ａ及び第２経路３４ｂは、それぞれ、正面方向（図１（ａ）と同じ方向）又は背面方向（図１（ｃ）と同じ方向）から見た場合に、合流箇所３４ｃに対して斜めに傾斜して配置されており、互いが斜め下方向から徐々に接近して合流箇所３４ｃで合流する構成になっている。
【００４０】
発券部７は、合流搬送部３４に進入する第１ロール紙２０ａ及び第２ロール紙２０ｂの先端部分を検知するセンサＳＮ１が、第１経路３４ａ及び第２経路３４ｂ上に設けられている。制御部５０（図１（ｃ）参照）は、センサＳＮ１から出力される出力信号の値に応じて、第１ロール紙２０ａ及び第２ロール紙２０ｂの先端部分の位置を検知する。
【００４１】
なお、発券部７は、センサＳＮ１とは別に、ロール紙２０の残量を検知する図示せぬ残量検知センサを備えている。残量検知センサは、後記するロールボス４２の周囲に設けられている。
【００４２】
発券部７は、定期券を搬送する搬送路３９を備えており、その搬送路３９が磁気部３６の手前の位置で搬送路３２に接続されている。発券部７は、その搬送路３９上に、定期券ホッパ部３７、及び、定期券印字部３８が設けられている。
【００４３】
本実施形態１では、発券部７は、２巻のロール紙２０ａ，２０ｂが収納される２つのロール紙収納部３１ａ，３１ｂのみを発券部７の筐体から引き出せるように、２つのロール紙収納部３１ａ，３１ｂのそれぞれがトレイ化され、さらに、２つのトレイが並列に配置された構成になっている。
【００４４】
そして、発券部７は、発券処理中に、２巻のロール紙２０ａ，２０ｂのいずれか一方のロール紙２０（使用中のロール紙２０）の残量が一定値以下になった場合に、そのロール紙２０（以下、「用紙切れロール紙」と称する）を収納するトレイを引き出しても、発券処理を他方のロール紙２０（すなわち、残量が一定値よりも多いロール紙２０（以下、「残存ロール紙」と称する））によって継続して行う構成になっている。これにより、発券部７は、自動券売機１の稼動を停止させない構成になっている。
【００４５】
その発券部７は、具体的には、図３に示すように、第１ロール紙収納部３１ａ及び第２ロール紙収納部３１ｂが、それぞれ、発券部７の筐体から個々に独立して引き出すことが可能な第１トレイ４１ａ及び第２トレイ４１ｂとして構成されている。以下、第１トレイ４１ａ及び第２トレイ４１ｂを総称する場合に、「ロール紙トレイ４１」と称する。
【００４６】
発券部７の筐体は、その一部が筐体フレーム１６として構成されている。筐体フレーム１６は、ロール紙トレイ４１に対向する壁面１７にレール１８を備えている。レール１８は、ロール紙トレイ４１の引き出し方向に沿って延在して設けられている。図３に示す例では、筐体フレーム１６は、第１トレイ４１ａと第２トレイ４１ｂとの間に配置されている。そして、筐体フレーム１６は、第１トレイ４１ａに対向する側の第１壁面１７ａに第１レール１８ａを備えている。また、図示されていないが、筐体フレーム１６は、第２トレイ４１ｂに対向する側の第２壁面１７ｂ（図示せず）に第２レール１８ｂ（図示せず）を備えている。第１レール１８ａは、第１トレイ４１ａの引き出し方向に沿って延在して設けられている。同様に、図示せぬ第２レール１８ｂは、図示せぬ第２トレイ４１ｂの引き出し方向に沿って延在して設けられている。
【００４７】
ロール紙トレイ４１は、筐体フレーム１６の壁面１７に対向する側の面に、レール１８に対して移動可能に係合する係合部（以下、「レール係合部４５」と称する）を備えている。図３に示す例では、第１トレイ４１ａは、筐体フレーム１６の第１壁面１７ａに対向する側の面に、第１レール１８ａに対して移動可能に係合する第１レール係合部４５ａを備えている。また、図示されていないが、第２トレイ４１ｂは、筐体フレーム１６の第２壁面１７ｂ（図示せず）に対向する側の面に、第２レール１８ｂ（図示せず）に対して移動可能に係合する第２レール係合部４５ｂ（図示せず）を備えている。
【００４８】
ロール紙トレイ４１は、ロールボス４２、挿入部４３、及び、取手部４４を備えている。ロールボス４２は、ロール紙２０がセットされる部位である。挿入部４３は、ロール紙２０の先端部分が挿入されることにより、ロール紙２０をロール紙搬送部３３に導く部位である。取手部４４は、係員によって把持される部位である。図３に示す例では、第１トレイ４１ａは、ロールボス４２ａ、挿入部４３ａ、及び、取手部４４ａを備えている。また、図示されていないが、第２トレイ４１ｂも、ロールボス４２ｂ、挿入部４３ｂ、及び、取手部４４ｂを備えている。
【００４９】
＜発券部の動作＞
（発券部の全体の動作）
以下、図１〜図３（主に、図２及び図３）を参照して、発券部７の全体の動作の概要につき説明する。なお、発券部７の動作は、制御部５０（図１（ｃ）参照）によって制御される。
【００５０】
発券部７は、ロール紙２０の交換時に、係員によって、ロール紙トレイ４１が発券部７の筐体から引き出されて、ロール紙２０がロール紙トレイ４１にセットされる。係員は、ロール紙２０をロール紙トレイ４１にセットすると、ロール紙２０の先端部分を挿入部４３に挿入して、ロール紙トレイ４１を発券部７の筐体の内部に押し戻す。
【００５１】
これにより、挿入部４３に挿入されたロール紙２０の先端部分が、ロール紙搬送部３３に導かれる。ロール紙搬送部３３は、ロール紙２０の先端部分を下流側に向けて搬送する。そして、ロール紙搬送部３３は、ロール紙２０の先端部分を合流搬送部３４の近傍（例えば、センサＳＮ１の位置）又は合流搬送部３４の内部で停止させて、その状態を所定のタイミングまで維持する。
【００５２】
この後、発券部７は、いずれかの時点で、顧客が顧客操作部２（図１（ａ）参照）を操作することにより、例えば、券類の発行取引の指示を受け付ける。ここでは、取引の形態がロール紙トレイ４１にセットされたロール紙２０を用いる取引（例えば、乗車券の発行取引）である場合を想定して説明する。
【００５３】
すると、発券部７は、ロール紙２０の先端部分をロール紙印字部３５に搬送し、ロール紙印字部３５で、所定の印字情報をロール紙２０の先端部分の表面に印字して、その先端部分を所定の長さにカットし（又は、ロール紙２０の先端部分を所定の長さにカットして、所定の印字情報をその表面に印字し）、カットされたロール紙２０の先端部分を磁気部３６に搬送する。
【００５４】
そして、発券部７は、磁気部３６で、所定の磁気情報を、カットされたロール紙２０の先端部分の裏面に設けられた磁気ストライプ（図示せず）に書き込み、書き込まれた磁気情報のチェックを行う。発券部７は、チェックが正常に行われた場合に、カットされたロール紙２０をエスカッション部３に搬送して、券類としてエスカッション部３から外部に排出する。これにより、自動券売機１は、券類を発行（発券）する。
【００５５】
なお、発券部７は、取引の形態が定期券ホッパ部３７にセットされた発券媒体を用いる取引（すなわち、定期券の発行取引）である場合に、以下のように動作する。
【００５６】
まず、発券部７は、発券媒体を定期券ホッパ部３７から搬送路３９に繰り出し、発券媒体を定期券印字部３８に搬送し、定期券印字部３８で、所定の印字情報を発券媒体の表面に印字して、発券媒体を磁気部３６に搬送する。
【００５７】
そして、発券部７は、磁気部３６で、所定の磁気情報を、発券媒体の裏面に設けられた磁気ストライプ（図示せず）に書き込み、書き込まれた磁気情報のチェックを行う。発券部７は、チェックが正常に行われた場合に、発券媒体をエスカッション部３に搬送して、定期券としてエスカッション部３から外部に排出する。これにより、自動券売機１は、定期券を発行（発券）する。
【００５８】
（発券部の主要部の動作）
以下、図４を参照して、発券部７の主要部の動作につき説明する。図４は、実施形態１に係る発券部７の主要部の動作を示す図である。ここでは、第１ロール紙２０ａが用紙切れロール紙となり、係員が用紙切れロール紙を新品のロール紙２０に交換する場合を想定して説明する。
【００５９】
自動券売機１は、ロール紙トレイ４１に収納されたロール紙２０が用紙切れロール紙になった場合に、任意の通知手段（例えば、図示せぬスピーカ等の放音手段）によって、ロール紙トレイ４１に収納されたロール紙２０の交換が必要であることを係員に通知する。
【００６０】
これに応答して、係員は、用紙切れロール紙を新品のロール紙２０に交換する。その際に、係員は、まず、自動券売機１の背面扉４（図１（ｂ）参照）を開ける。
【００６１】
次に、係員は、図４（ａ）に示すように、用紙切れロール紙を収納するロール紙トレイ４１（図示例では、第１ロール紙２０ａを収納する第１トレイ４１ａ）の取手部４４を把持し、発券部７の筐体から、実線矢印の方向に沿って、ロール紙トレイ４１を引き出す。このとき、ロール紙トレイ４１は、レール１８に沿って、移動する。
【００６２】
引き出されたロール紙トレイ４１のロールボス４２（図示例では、ロールボス４２ａ）には、用紙切れロール紙の紙管２１（図示例では、紙管２１ａ）が残った状態になっている。紙管２１は、ロール紙２０の芯材である。係員は、ロール紙トレイ４１を引き出すと、一点鎖線矢印の方向に沿って、用紙切れロール紙の紙管２１をロールボス４２から取り外す。
【００６３】
次に、係員は、図４（ｂ）に示すように、一点鎖線矢印の方向に沿って、新品のロール紙２０（図示例では、第１ロール紙２０ａ）をロールボス４２にセットする。そして、係員は、新品のロール紙２０の先端部分を挿入部４３に挿入する。
【００６４】
次に、係員は、図４（ｃ）に示すように、ロール紙トレイ４１を、発券部７の筐体の内部に押し込む。このとき、挿入部４３に挿入されていた新品のロール紙２０の先端部分が、ロール紙搬送部３３（図示例では、ロール紙搬送部３３ａ）に導かれる。すると、ロール紙搬送部３３は、ロール紙２０の先端部分を下流側に搬送する。そして、ロール紙搬送部３３は、ロール紙２０の先端部分を合流搬送部３４の近傍（例えば、センサＳＮ１の位置）又は合流搬送部３４の内部で停止させて、その状態を所定のタイミングまで維持する。
これにより、用紙切れロール紙と新品のロール紙２０との交換が完了する。
【００６５】
係る構成において、発券部７は、発券処理中に、第１ロール紙２０ａ及び第２ロール紙２０ｂのいずれか一方のロール紙２０（使用中のロール紙２０）の残量が一定値以下になった場合に、そのロール紙２０を用紙切れロール紙とし、他方のロール紙２０を残存ロール紙とし、使用するロール紙を用紙切れロール紙から残存ロール紙に切り替える。そして、発券部７は、発券処理を残存ロール紙によって継続して行うとともに、ロール紙搬送部３３と用紙切れロール紙との係合を解いて、用紙切れロール紙を係合の解かれたフリーな状態にする。これにより、発券部７は、用紙切れロール紙を収納するロール紙トレイ４１を引き出しが可能な状態にする。
【００６６】
本実施形態１に係る自動券売機１は、このような発券部７を有している。その自動券売機１は、第１ロール紙収納部３１ａ及び第２ロール紙収納部３１ｂのそれぞれが、発券部７の筐体から個々に独立して引き出すことが可能な第１トレイ４１ａ及び第２トレイ４１ｂとして構成されている。そのため、自動券売機１は、用紙切れロール紙を新品のロール紙２０に交換する場合に、発券部７の筐体から、用紙切れロール紙を収納するロール紙トレイ４１のみを引き出すことができる。
【００６７】
これにより、自動券売機１は、発券部７全体を装置（自動券売機１）から引き出すことなく、発券処理を残存ロール紙によって継続して行うことができるとともに、用紙切れロール紙を新品のロール紙２０に交換することができる。そのため、自動券売機１は、装置の稼動を停止することなく、用紙切れロール紙を新品のロール紙２０に交換することができる。その結果、自動券売機１は、ロール紙２０を交換している間、顧客を待たせてしまうのを回避することができる。
【００６８】
以上の通り、本実施形態１に係る自動券売機１によれば、装置の稼動を停止することなく、ロール紙２０を交換することができる。
【００６９】
ただし、自動券売機１は、発券処理を一旦中断して、２つのロール紙トレイ４１（又は発券部７全体）を装置（自動券売機１）から引き出すことによって、２巻のロール紙２０を同時に交換することも可能である。
【００７０】
［実施形態２］
本実施形態２は、稼動中のロール紙搬送部３３に係るロール紙トレイ４１（以下、「運用中のロール紙トレイ４１」と称する）を引き出し不能にロックすることにより、運用中のロール紙トレイ４１が誤って引き出されることによるエラーの発生や誤動作の発生を防止する自動券売機１Ｂを提供する。
【００７１】
以下、図５〜図８を参照して、本実施形態２に係る自動券売機１Ｂの構成につき説明する。図５は、実施形態２に係る自動券売機１Ｂに用いる発券部７Ｂの主要部の構成を示す図である。図６〜図８は、それぞれ、実施形態２で用いる電磁ロック機構６０の構成を示す図である。図６は、右側面方向から見た電磁ロック機構６０の構成を示している。また、図７は、右斜め背面方向から見た電磁ロック機構６０の構成を示している。また、図８は、電磁ロック機構６０の後記するロック部６４と係合するロック係合部４９の構成を示している。
【００７２】
図５に示すように、本実施形態２に係る自動券売機１Ｂは、実施形態１に係る自動券売機１と比較すると、発券部７の代わりに、発券部７Ｂを有する点で相違している。発券部７Ｂは、実施形態１に係る発券部７と同様の券類発行装置であり、実施形態１に係る発券部７（図３及び図４（ｃ）参照）と比較すると、ロールボス回転手段５２、表示ランプ５９、及び、電磁ロック機構６０が付加された構成になっている。
【００７３】
ロールボス回転手段５２は、ロールボス４２を回転駆動させる構成要素である。ただし、図５に示す例では、ロールボス回転手段５２は、ロールボス４２の背後に隠れて見えなくなっている。本実施形態２では、ロールボス回転手段５２は、用紙切れロール紙を巻き戻す、巻き戻し手段として機能する。
【００７４】
表示ランプ５９は、ロール紙トレイ４１の引き出しが可能であるか否かを係員に通知する通知手段である。表示ランプ５９は、ロール紙トレイ４１の引き出しが可能である場合に、予め定められた任意の色（例えば、青色）に点灯し、ロール紙トレイ４１の引き出しが不能である場合に、予め定められた任意の色（例えば、赤色）に点灯する。表示ランプ５９は、例えば、ＬＥＤによって構成することができる。
【００７５】
なお、自動券売機１Ｂは、例えば、ロール紙トレイ４１に収納されたロール紙２０が用紙切れロール紙になった場合に、表示ランプ５９を高速に点滅させることによって、ロール紙トレイ４１に収納されたロール紙２０の交換が必要であることを係員に通知する構成にしてもよい。
【００７６】
また、自動券売機１Ｂは、運用中のロール紙トレイ４１（稼動中のロール紙搬送部３３に係るロール紙トレイ４１）がどちらであるのかや、交換の必要なロール紙２０（用紙切れロール紙）を収納するロール紙トレイ４１がどちらであるのか等が分かるように、表示ランプ５９を予め定められた色や速度で点灯させるようにしてもよい。
【００７７】
電磁ロック機構６０は、第１トレイ４１ａ及び第２トレイ４１ｂのいずれか一方又は双方（特に、運用中のロール紙トレイ４１）を引き出し不能にロックする機構である。図６及び図７に示す例では、電磁ロック機構６０は、ソレノイド６１、ロックレバー６３、スプリング６６、及び、センサ６７を備える構成になっている。なお、図６及び図７は、第１トレイ４１ａをロックする第１電磁ロック機構６０ａの構成を示している。第２トレイ４１ｂをロックする第２電磁ロック機構６０ｂ（図示せず）は、第１電磁ロック機構６０ａと同じ構成か、又は、図７に示す左右の向きが第１電磁ロック機構６０ａとは逆向きの構成になる。
【００７８】
ロックレバー６３は、回転支点６２によって発券部７Ｂの筐体フレーム１６（図５参照）に回動自在に取り付けられている。ロックレバー６３は、ソレノイド６１と連結されており、ソレノイド６１によって、回転支点６２を中心にして回動する構成になっている。
【００７９】
ロックレバー６３は、その回動する部分に、ロール紙トレイ４１の方向に向けて突出する突起部６４が設けられている。突起部６４は、ロール紙トレイ４１に予め設けられたロック係合部４９（図６及び図８参照）と係合して、ロール紙トレイ４１の動きをロックする。以下、突起部６４を「ロック部６４」と称する場合がある。ロックレバー６３は、少なくとも発券処理が行われている間、ロック部６４がロール紙トレイ４１のロック係合部４９と係合して、ロール紙トレイ４１の動きをロックする。なお、ロール紙トレイ４１のロック係合部４９は、例えば、図７及び図８に示すように、ロール紙トレイ４１の上壁面の位置に、四角形状の開口部（四角孔）として設けられている。なお、図７及び図８は、第１トレイ４１ａをロックする第１電磁ロック機構６０ａのロック部６４と係合する第１ロック係合部４９ａの構成を示している。第２トレイ４１ｂをロックする第２電磁ロック機構６０ｂ（図示せず）のロック部６４と係合する第２ロック係合部４９ｂ（図示せず）は、第１ロック係合部４９ａと同様の構成になる。
【００８０】
また、ロックレバー６３は、ロック部６４の周囲に、センサ遮光部６５が設けられている。センサ遮光部６５は、ロックレバー６３の回動時に、その先端部がセンサ６７を遮蔽する突出部である。図６及び図７に示す例では、センサ遮光部６５は、ロック部６４の上方の位置に設けられている。
【００８１】
スプリング６６は、ロックレバー６３を付勢する付勢部材である。ロックレバー６３は、ソレノイド６１がオフ状態になると、スプリング６６の付勢力によって、回転支点６２を中心にして回動する。これにより、ロックレバー６３のロック部６４が、ロール紙トレイ４１のロック係合部４９と係合する。
【００８２】
センサ６７は、ロックレバー６３の開いた状態及び閉じた状態を検知する開閉状態検知部である。なお、「ロックレバー６３の開いた状態」とは、ロックレバー６３のロック部６４とロール紙トレイ４１のロック係合部４９との係合が解かれた状態であること（すなわち、電磁ロック機構６０が開錠状態であること）を意味する。一方、「ロックレバー６３の閉じた状態」とは、ロックレバー６３のロック部６４とロール紙トレイ４１のロック係合部４９とが係合した状態であること（すなわち、電磁ロック機構６０がロック状態であること）を意味する。
【００８３】
センサ６７は、例えば、発光センサと受光センサとによって構成される。センサ６７は、ロックレバー６３が開くと（すなわち、電磁ロック機構６０が開錠状態になると）、ロックレバー６３のセンサ遮光部６５が発光センサと受光センサとの間を遮蔽する。これによって、センサ６７は、ロックレバー６３の開いた状態（すなわち、電磁ロック機構６０が開錠状態であること）検知する。一方、センサ６７は、ロックレバー６３が閉じると（すなわち、電磁ロック機構６０がロック状態になると）、ロックレバー６３のセンサ遮光部６５が発光センサと受光センサとの間を遮蔽しなくなる。これによって、センサ６７は、ロックレバー６３の閉じた状態（すなわち、電磁ロック機構６０がロック状態であること）検知する。
【００８４】
発券部７Ｂは、発券処理中に、第１ロール紙２０ａ及び第２ロール紙２０ｂのいずれか一方のロール紙２０（使用中のロール紙２０）の残量が一定値以下になった場合に、そのロール紙２０を用紙切れロール紙とし、他方のロール紙２０を残存ロール紙として、以下のように動作する。ここでは、第１ロール紙２０ａが用紙切れロール紙となった場合を想定して説明する。
【００８５】
発券部７Ｂは、この場合に、用紙切れロール紙を収納するロール紙トレイ４１側に設けられたロールボス回転手段５２（ここでは、第１ロールボス回転手段５２ａ）が、ロールボス４２（ここでは、第１ロールボス４２ａ）を回転駆動させて、用紙切れロール紙を巻き戻す。
【００８６】
発券部７Ｂは、用紙切れロール紙の巻き戻しが完了すると、電磁ロック機構６０（ここでは、第１電磁ロック機構６０ａ）のソレノイド６１をオン（吸引）状態にして、ロックレバー６３を矢印Ｓの方向に回転駆動させる。これにより、電磁ロック機構６０は、ロック部６４がロール紙トレイ４１（ここでは、第１トレイ４１ａ）のロック係合部４９から外れて、ロール紙トレイ４１に対するロックを開錠した状態になる。その結果、ロール紙トレイ４１は、発券部７Ｂの筐体から引き出すことが可能な状態になる。これにより、発券部７Ｂは、用紙切れロール紙と新品のロール紙２０との交換が可能になる。
【００８７】
このとき、表示ランプ５９の点灯している色が、例えば、赤色から青色に変わる。係員は、表示ランプ５９の色を見て、ロール紙トレイ４１の引き出しが可能になったか否かを認識する。係員は、ロール紙トレイ４１の引き出しが可能になると、ロール紙トレイ４１を引き出して、用紙切れロール紙を新品のロール紙２０に交換する。
【００８８】
本実施形態２に係る自動券売機１Ｂは、このような発券部７Ｂを有している。その自動券売機１Ｂは、運用中のロール紙トレイ４１をロックするため、仮に、係員が稼動中のロール紙トレイ４１を誤って引き出そうとしても、稼動中のロール紙トレイ４１が引き出されるのを防止することができる。そのため、自動券売機１Ｂは、運用中のロール紙トレイ４１が誤って引き出されることによるエラーの発生や誤動作の発生を防止することができる。
【００８９】
以上の通り、本実施形態２に係る自動券売機１Ｂによれば、実施形態２に係る自動券売機１と同様に、装置の稼動を停止することなく、ロール紙２０を交換することができる。
しかも、自動券売機１Ｂによれば、運用中のロール紙トレイ４１が誤って引き出されることによるエラーの発生や誤動作の発生を防止することができる。
【００９０】
本発明は、前記した実施形態に限定されることなく、本発明の要旨を逸脱しない範囲で種々の変更や変形を行うことができる。
【００９１】
例えば、実施形態１及び実施形態２では、自動券売機１，１Ｂは、２つのロール紙トレイ４１を備え、２つのロール紙２０を用いて発券処理を行う構成になっている。しかしながら、自動券売機１，１Ｂは、３つ以上のロール紙トレイ４１を備え、３つ以上のロール紙２０を用いて発券処理を行う構成にすることもできる。
【００９２】
この場合に、それぞれのロール紙トレイ４１は、第１トレイ４１ａ又は第２トレイ４１ｂと同じ構成になる。
また、この場合に、実施形態２に係る電磁ロック機構６０は、それぞれのロール紙トレイ４１のいずれか一つ乃至全部を引き出し不能にロックする構成になる。
また、この場合に、発券部７，７Ｂは、発券処理中に、複数のロール紙２０のいずれかのロール紙２０の残量が一定値以下になった場合に、そのロール紙２０を用紙切れロール紙とし、別のロール紙２０を残存ロール紙とし、使用するロール紙２０を用紙切れロール紙から残存ロール紙に切り替えて、発券処理を残存ロール紙によって継続して行うとともに、用紙切れロール紙との係合を解いて、用紙切れロール紙を収納するロール紙トレイ４１を引き出しが可能な状態にする構成になる。
また、この場合に、ロール紙セット機構３０，３０Ｂは、繰り出し処理中に、複数のロール紙２０のいずれかのロール紙２０の残量が一定値以下になった場合に、そのロール紙２０を用紙切れロール紙とし、別のロール紙２０を残存ロール紙とし、使用するロール紙２０を用紙切れロール紙から残存ロール紙に切り替えて、繰り出し処理を残存ロール紙によって継続して行うとともに、用紙切れロール紙との係合を解いて、用紙切れロール紙を収納するロール紙トレイ４１を引き出しが可能な状態にする構成になる。
【００９３】
また、例えば、自動券売機１，１Ｂは、制御部５０（図１（ｃ）参照）とは異なる制御部を発券部７，７Ｂの内部に設けておき、その制御部によって発券部７の各部の動作を制御するようにしてもよい。
【００９４】
また、例えば、自動券売機１，１Ｂは、運用中のロール紙トレイ４１（稼動中のロール紙搬送部３３に係るロール紙トレイ４１）がどれであるのかや、交換が必要なロール紙２０（用紙切れロール紙）を収納するロール紙トレイ４１がどれであるのか等が分かるように、係員操作部５（図１（ｃ）参照）等の、図５に示す表示ランプ５９以外の通知手段によって、係員に通知するようにしてもよい。
【符号の説明】
【００９５】
１，１Ｂ    自動券売機
２    顧客操作部
３    エスカッション部（券類挿入排出口）
４    背面扉
５    係員操作部
６    カード部
７，７Ｂ    券類発行装置（発券部）
８    紙幣部
９    硬貨部
１０    硬貨回収金庫
１１    電源部
１６    筐体フレーム
１７（１７ａ，１７ｂ）    壁面
１８（１８ａ，１８ｂ）    レール
２０（２０ａ，２０ｂ）    ロール紙（連続紙）
２１（２１ａ，２１ｂ）    紙管
３０，３０Ｂ    ロール紙セット機構
３１（３１ａ，３１ｂ）    ロール紙収納部
３２（３２ａ，３２ｂ），３９    搬送路
３３（３３ａ，３３ｂ）    ロール紙搬送部
３４    合流搬送部
３４ａ，３４ｂ    経路
３４ｃ    合流箇所
３５    ロール紙印字部
３６    磁気部
３７    定期券ホッパ部
３８    定期券印字部
４１（４１ａ，４１ｂ）    ロール紙トレイ（トレイ）
４２（４２ａ，４２ｂ）    ロールボス
４３（４３ａ，４３ｂ）    挿入部
４４（４４ａ，４４ｂ）    取手部
４５（４５ａ，４５ｂ）    レール係合部
５０    制御部
５２（５２ａ，５２ｂ）    ロールボス回転手段
５９（５９ａ，５９ｂ）    表示ランプ（通知手段）
６０    電磁ロック機構
６１    ソレノイド
６２    回転支点
６３    ロックレバー
６４    突起部（ロック部）
ＳＮ１    センサ
【図１】
2014016915.tif 000003
【図２】
2014016915.tif 000004
【図３】
2014016915.tif 000005
【図４】
2014016915.tif 000006
【図５】
2014016915.tif 000007
【図６】
2014016915.tif 000008
【図７】
2014016915.tif 000009
【図８】
2014016915.tif 000010